(57)【要約】【課題】  側溝を流れる流水中のゴミを容易に側溝外に取り出すことができる共に、フィルター自体に付着したゴミを容易に取り除くことができる側溝フィルターを提供する。【解決手段】  側溝に着脱自在に装着され、側溝を流れる流水中のゴミを除去するための側溝フィルター１であって、側溝の底面に載置される基部２と、複数の第二スリットを有すると共にゴミを流水から濾過する第二濾過面３ａを備え、基部２の上方に設けられたゴミ受部３と、基部２及びゴミ受部３の両側に設けられ、基部２、及びゴミ受部３と共に第二濾過面３ａが濾過したゴミを収容する収容部１９を構成する一対の側壁部４とを具備することを特徴とする。なお、ゴミ受部３は、第二濾過面３ａが基部２に対して後方に傾斜するように設けられているものであっても構わない。【選択図】  図１
2006112167.tif 000002
【特許請求の範囲】
【請求項１】
側溝に着脱自在に装着され、前記側溝を流れる流水の中のゴミを除去するための側溝フィルターであって、
前記側溝の底面に載置される基部と、
複数のスリットを有すると共に前記ゴミを前記流水から濾過する濾過面を備え、前記基部の上方に設けられたゴミ受部と、
前記基部及び前記ゴミ受部の両側に設けられ、前記基部及び前記ゴミ受部と共に前記濾過面が濾過した前記ゴミを収容する収容部を構成する一対の側壁部と
を具備することを特徴とする側溝フィルター。
【請求項２】
前記ゴミ受部は、前記濾過面が前記基部に対して後方に傾斜するように設けられていることを特徴とする請求項１に記載の側溝フィルター。
【請求項３】
前記ゴミ受部は、
前記基部に対して、起立した状態、及び傾倒した状態の間で傾動自在に支持されており、
前記基部に対して起立した状態に付勢されている
ことを特徴とする請求項１又は請求項２に記載の側溝フィルター。
【請求項４】
前記基部は、前後方向に沿って設けられた基部側スリットを複数有すると共に前記ゴミを前記流水から濾過する基部側濾過面、を備えることを特徴とする請求項１から請求項３までのいずれか一つに記載の側溝フィルター。
【請求項５】
前記スリットは、幅寸法が２．０ｍｍ以上、７．０ｍｍ以下に設定されていることを特徴とする請求項１から請求項４までのいずれか一つに記載の側溝フィルター。
【発明の詳細な説明】
【技術分野】
【０００１】
本発明は、側溝フィルターに関するものであり、詳しくは、側溝を流れる流水中のゴミを除去するための側溝フィルターに関するものである。
【背景技術】
【０００２】
従来、側溝は、道路の側部や敷地内に設置されて雨水等を排水する排水路として利用されたり、水田や畑地等に設置されて農業用水等を通水する用水路として利用されたりしている。
【０００３】
上記従来技術は、一般的な事項であり、本出願人は、本出願時において、この従来技術を特定する文献を特に知見していない。
【発明の開示】
【発明が解決しようとする課題】
【０００４】
側溝内を流れる流水中には、空き缶、枯葉、又は煙草の吸い殻等のゴミが存在することが多く、このゴミは、流水の流れを滞留させて側溝の溢水を招く原因、又は、側溝から通じる川へ流出することによってその川の汚染を招く原因となる可能性があるため、問題視されていた。
【０００５】
特に、人通りの多い道路等に設置された側溝の場合、この側溝の開口部に設置されたグレーチング（格子状の金属性側溝蓋）から煙草の吸殻等が捨てられることが多く、上述の問題を解消するためには、これらのゴミを流水中から除去する必要があった。
【０００６】
そして、このようなゴミを流水中から除去するために、例えば、側溝に装着される網体が考えられる。ここで使用される網体とは、側溝の巾寸法と略同一の巾寸法を有するものであり、水流方向と直交する状態で側溝に装着することによって流水中のゴミを濾過するものである。そして、この網体によって濾過したゴミを側溝外に取り出すことによって、流水中のゴミを除去することができる。
【０００７】
しかしながら、このゴミを側溝外に取り出す方法としては、ゴミが流れないように網体を側溝に装着した状態で、ゴミバサミを用いて取り出したり、或いは素手で取り出したりする方法が挙げられるが、この作業は非常に手間のかかるものである。そして、この網体のようにゴミを濾過して除去する場合、大量のゴミを濾過し続けると流水の流れが滞り、側溝が溢水する可能性があるため、定期的にこの作業を行なう必要があった。
【０００８】
また、ゴミが付着することによってこの網体の網目に目詰まりが生じた場合、この網体を側溝から引き上げて、このゴミを取り除く必要がある。しかしながら、網体を構成する細かい網目の一つ一つからゴミを的確に取り除く作業は非常に手間のかかるものであった。
【０００９】
そこで、本発明は、上記実情に鑑み、流水の中から濾過したゴミを容易に側溝外に取り出すことができ、しかも、側溝フィルター自体に付着したゴミを容易に取り除くことができる側溝フィルターを提供することを課題とする。
【課題を解決するための手段】
【００１０】
上述した課題を解決するために本発明の採った手段は、
「側溝に着脱自在に装着され、前記側溝を流れる流水の中のゴミを除去するための側溝フィルターであって、
前記側溝の底面に載置される基部と、
複数のスリットを有すると共に前記ゴミを前記流水から濾過する濾過面を備え、前記基部の上方に設けられたゴミ受部と、
前記基部及び前記ゴミ受部の両側に設けられ、前記基部及び前記ゴミ受部と共に前記濾過面が濾過した前記ゴミを収容する収容部を構成する一対の側壁部と
を具備することを特徴とする側溝フィルター」
である。
【００１１】
上記構成の側溝フィルターでは、側溝を流れる流水はゴミ受部を通過する。このとき、流水中のゴミはゴミ受部における濾過面によって濾過される。そして、濾過されたゴミは基部と、ゴミ受部と、一対の側壁部とによって形成される収容部に収容される。その後、この側溝フィルターを側溝外に引き上げることによって、収容部に収容されたゴミも側溝外に取り出される。したがって、上記構成の側溝フィルターによれば、流水の中から濾過したゴミを容易に側溝外に取り出すことができる。
【００１２】
また、上記構成の側溝フィルターでは、濾過面には複数のスリットが設けられている。これにより、濾過面にゴミが付着した場合には、ブラシ等をスリットに差し入れ、スリットが描くラインに沿ってスライドさせることによって、ゴミを取り除くことができる。したがって、上記構成の側溝フィルターによれば、側溝フィルター自体に付着した汚れを容易に取り除くことができる。
【００１３】
上述の側溝フィルターにおいて、
「前記ゴミ受部は、前記濾過面が前記基部に対して後方に傾斜するように設けられていることを特徴とする側溝フィルター」
としてもよい。
【００１４】
上記構成のフィルターでは、濾過面が基部に対して後方に傾斜している。これにより、濾過面が垂直に設けられている場合よりも、濾過面の流水との接触面積が大きく確保される。したがって、より良好に流水中のゴミを濾過することができる。
【００１５】
さらに、上記構成のフィルターでは、濾過面に接触した流水は、後方に傾斜する濾過面によってゴミ受部の後方へと誘導されて円滑に流れるため、速やかな水流を保持することができる。
【００１６】
上述の側溝フィルターにおいて、
「前記ゴミ受部は、
前記基部に対して、起立した状態、及び傾倒した状態の間で傾動自在に支持されており、
前記基部に対して起立した状態に付勢されている
ことを特徴とする側溝フィルター」
としてもよい。
【００１７】
収容部に大量のゴミを収容する等によって、濾過面のスリットが閉塞された場合、側溝フィルターを装着した箇所で側溝の流水が滞留してしまい、溢水が生じるおそれがある。
【００１８】
上記構成の側溝フィルターでは、ゴミ受部が、基部に対して起立した状態と、基部に対して傾倒した状態との間で傾動自在に支持されると共に、基部に対して起立した状態に付勢される。これにより、濾過面に一定以上の圧力が加わった場合には、ゴミ受部は、基部に対して起立した状態から傾倒した状態に傾動する。そして、加えられていた圧力が取り除かれた場合には、傾倒した状態から起立した状態に付勢されて傾動する。
【００１９】
よって、濾過面のスリットに目詰まりが生じ、流水がせき止められた場合、この流水の水圧によってゴミ受部は基部に対して起立した状態から傾倒した状態に傾動する。その結果、せき止められた流水の流れは開放される。そして、濾過面に加えられる水圧が軽減した場合には、傾倒した状態のゴミ受部は、起立する方向に付勢され、傾動する。したがって、上記構成の側溝フィルターによれば、側溝の溢水を未然に防止することができると共に、水圧が軽減された場合には自動的にゴミの濾過を再開することができる。
【００２０】
なお、ゴミ受部が傾倒した状態に傾動することによって、濾過面によって濾過されていたゴミが流されてしまうことが考えられる。しかしながら、降雨によって側溝が増水している場合等の緊急時に、ゴミの濾過よりも特に優先して回避するべき問題は、側溝の溢水である。上記構成の側溝フィルターによれば、このような緊急時には側溝の溢水を優先して回避することができる。
【００２１】
また、一枚の幅広のビニール等が濾過面のスリットを閉塞し、以降の濾過を阻害している場合には、側溝フィルターは、ゴミ受部を傾倒してこのビニール等を流させることによって、良好な濾過を再開することができる。
【００２２】
上述の側溝フィルターでは、
「前記基部は、前後方向に沿って設けられた基部側スリットを複数有すると共に前記ゴミを前記流水から濾過する基部側濾過面、を備えることを特徴とする側溝フィルター」
としてもよい。
【００２３】
上記構成の側溝フィルターでは、基部に、前後方向に沿って設けられた基部側スリットを複数有する基部側濾過面が形成される。これにより、流水は、上述のスリットに加え、この基部側スリット内も通過する。したがって、上記構成の側溝フィルターでは、流水の流れをより良好に保つことができる。
【００２４】
なお、このように、基部に基部側スリットが前後方向に沿って設けられている場合、ゴミ受部のスリットは、上下方向に沿って設けられていることが好適である。これにより、基部に設けられたスリットと、ゴミ受部に設けられた基部側スリットとは一本のラインを描く状態になる。よって、このスリット及び基部側スリットにゴミが付着した場合には、ブラシ等をスリットに差し入れ、一方向にスライドさせることによって容易に取り除くことができる。
【００２５】
上述の側溝フィルターにおいて、
「前記スリットは、幅寸法が２．０ｍｍ以上、７．０ｍｍ以下に設定されていることを特徴とする側溝フィルター」
としてもよい。
【００２６】
側溝に捨てられた煙草の吸殻は、流水中で煙草を構成する巻紙、煙草葉、及びフィルターに分解される。そして、これら巻紙、煙草葉、及びフィルターの中では、酢酸セルロース繊維等の化学繊維を素材とするフィルターが特に水に対する溶解性が低い。そのため、煙草のフィルターは側溝から河川に流出して河川の水質を汚染する原因となっていた。
【００２７】
上記構成の側溝フィルターでは、スリットの幅は、７．０ｍｍ以下に設定される。煙草のフィルターは、主に７ｍｍ以上の直径を有するため、この巾寸法に設定されたスリットを通過することなく、濾過面によって濾過される。したがって、上記構成の側溝フィルターによれば、流水中の煙草フィルターを的確に除去することができる。
【００２８】
また、スリットの幅を小寸に設定した場合、スリットの目詰まりが頻繁に生じるおそれがある。上記構成の側溝フィルターでは、スリットの幅は、２．０ｍｍ以上に設定される。これにより、頻繁なスリットの目詰まりを回避することが可能になる。
【００２９】
なお、基部の基部側濾過面が基部側スリットを有する場合には、基部側スリットの幅寸法も２．０ｍｍ以上、７．０ｍｍ以下に設定されていることが好ましい。これにより、より的確に流水中の煙草フィルターを除去することができる。
【発明の効果】
【００３０】
上述の通り、本発明によれば、流水の中から濾過したゴミを容易に側溝外に取り出すことができ、しかも、側溝フィルター自体に付着したゴミを容易に取り除くことができる側溝フィルターを提供することができる。
【発明を実施するための最良の形態】
【００３１】
以下に、本発明に係る側溝フィルターの実施形態の一例を、図面に基づいて詳細に説明する。なお、側溝フィルターは、側溝に着脱自在に装着され、装着した状態では側溝内に配置されるものである。
【００３２】
図１に示すように、側溝フィルター１は、側溝の底面である設置面に設置される基部２と、基部２の上方に取設されたゴミ受部３と、基部２及びゴミ受部３の両側に設けられた一対の側壁部４と、一対の側壁部４間に架設された把持部５とから主に構成されている。
【００３３】
次に、基部２について、さらに詳しく説明する。図１及び図２に示すように、基部２は、巾方向に並設された複数本の長尺状の第一板状部材６と、隣接する一対の第一板状部材６間毎に介在され、この一対の第一板状部材６間の間隔を一定に保つ複数の第一スペーサ７と、これら複数の第一板状部材６、及び、複数の第一スペーサ７を連結する第一連結部材８とから構成されている。図２に示すように、第一板状部材６と第一スペーサ７とが重複する位置には、それぞれ第一貫通孔９が穿設されている。そして、各部材の第一貫通孔９を合致させた状態で第一連結部材８が挿通されることによって、複数の第一板状部材６、及び、複数の第一スペーサ７が連結される。これにより、基部２には前後方向に沿った第一スリット１０を複数有する第一濾過面２ａが形成される。ここで、第一スリット１０が本発明における基部側スリットに相当し、第一濾過面２ａが本発明における基部側濾過面に相当する。
【００３４】
次に、ゴミ受部３について、さらに詳しく説明する。ゴミ受部３は、巾方向に並設された複数本の長尺状の第二板状部材１１と、隣接する一対の第二板状部材１１間毎に介在され、この一対の第二板状部材１１間の間隔を一定に保つ複数の第二スペーサ１２と、これら複数の第二板状部材１１、及び、複数の第二スペーサ１２を連結する第二連結部材１３とから構成されている。そして、基部２と同様に、第二板状部材１１及び第二スペーサ１２の重複する位置には第二貫通孔１４が貫設されており、各部材の第二貫通孔１４に第二連結部材１３が挿通されることによって、複数の第二板状部材１１、及び、複数の第二スペーサ１２が連結される。これにより、ゴミ受部３には、上下方向に沿った第二スリット１５を複数有する第二濾過面３ａが形成される。なお、基部２を構成する第一スペーサ７と、ゴミ受部３を構成する第二スペーサ１２との厚み寸法は共に５．０ｍｍとする。これにより、第一スリット１０の巾寸法Ａと、第二スリット１５の巾寸法Ｂとは、同一寸法の５．０ｍｍとなる。ここで、第二濾過面３ａが本発明におけるゴミ受部３の濾過面に相当し、第二スリット１５が本発明におけるゴミ受部３のスリットに相当する。
【００３５】
次に、基部２とゴミ受部３との組み付けについて説明する。図１に示すように、ゴミ受部３を構成する複数の第二板状部材１１の下端部分１１ａは、基部２を構成する複数の第一板状部材６における隣接する一対の第一板状部材６間にそれぞれ介在して配設されている。そして、図２に示すように、それぞれの間隙には、第一スリット１０の巾寸法Ａと、第二スリット１５の巾寸法Ｂとを共に５．０ｍｍに保つ巾寸法を有する第三スペーサ１６が配設されている。さらに、これら複数の第一板状部材６、複数の第二板状部材１１、及び複数の第三スペーサ１６が重複する位置にはそれぞれ第三貫通孔１７が穿設されている。そして、各部材の第三貫通孔１７を合致させた状態で第三連結部材１８が挿通されることによって、ゴミ受部３は、基部２に対して起立した状態（以下、起立状態とする）、及び、基部２に対して傾倒した状態（以下、傾倒状態とする）の間で傾動自在に組み付けられる。
【００３６】
次に、一対の側壁部４について説明する。一対の側壁部４は、基部２及びゴミ受部３の両側に互いに対向して立設されている。この一対の側壁部４における、第一連結部材８が当接する位置には、第一板状部材６等と同様に第一貫通孔９が穿設されており、この第一貫通孔９に第一連結部材８が挿通される。そして、第三連結部材１８が当接する位置にも、第一板状部材６等と同様に第三貫通孔１７が穿設されており、この第三貫通孔１７に第三連結部材１９が挿通される。これにより、一対の側壁部４は、基部２に組み付けられる。そして、この一対の側壁部４と、基部２と、ゴミ受部３とによって第二濾過面３ａの下部に収容部１９が形成される。
【００３７】
また、図１に示すように、側壁部４と、ゴミ受部３との間には、ゴミ受部３が基部２に対して後方に傾斜した状態（この状態を起立状態とする）でバネ２０が張設されている。なお、図１における紙面奥側の側壁部４とゴミ受部３との間にもバネ２０が同様に張設されている（図示しない）。そして、この一対のバネ２０の弾性力により、ゴミ受部３は起立状態に付勢されている。そして、図３に示すように、第二濾過面３ａに一定以上の圧力が加わった場合には、ゴミ受部３は、起立状態から傾倒状態に傾動する。さらに、第二濾過面３ａに加えられていた圧力が取り除かれた場合には、ゴミ受部３は、傾倒状態から起立状態に付勢されて傾動する。
【００３８】
次に、図４及び図５に基づいて、側溝フィルター１の装着手順について説明する。まず、側溝フィルター１を装着する側溝３０について説明する。側溝３０は、上部３０ａが開口しており、この開口部分は、コンクリート製の側溝蓋３１、又は、金属製であり、格子状に形成されたグレーチング３２によって閉塞されている。
【００３９】
始めに、側溝３０を閉塞するグレーチング３２を持ち上げ、側溝３０の上部３０ａを開口させる。なお、この際には、コンクリート製の側溝蓋３１よりも軽量であるグレーチング３２を外すことが好ましい。そして、ゴミ受部３の濾過面３ａが流水の水流方向（図５における矢印Ｃ）に対向するように、側溝フィルター１を開口する上部３０ａから側溝３０内に入れて底面３０ｂに載置する。これにより、側溝フィルター１は側溝３０に装着される。このとき、流水４０は第一スリット１０、又は第二スリット１５を通過するため、側溝フィルター１は流水４０の流れを阻害することはなく、速やかな水流を保持することができる。また、側溝フィルター１は、底面３０ａに対して着脱自在に装着されるため、必要に応じて側溝３０から取り外すことができる。
【００４０】
なお、側溝フィルター１は、グレーチング３２が設置される位置の下方に装着されることにより、装着した側溝フィルター１の状況をグレーチング３２の格子３１ａから視認することが可能となり、点検等の際に側溝３０の上部３０ａを閉塞する側溝蓋３１又はグレーチング３２を外す手間が省略される。さらに、側溝フィルター１を側溝３０に装着する際には、鎖や綱等を用いてグレーチング３２と側溝フィルター１とを連結しておくことが好適である。これにより、側溝フィルター１が流水４０の水圧によって設置位置から移動することを防止することができる。
【００４１】
また、主に図１に示すように、基部２は、ゴミ受部３との連結位置より後方に延出する部分２ｂを有して形成されている。これにより、側溝フィルター１の重心位置が基部２の上方から逸脱することを防ぎ、側溝フィルター１を安定して側溝３０に装着することができる。
【００４２】
そして、流水４０は、側溝３０に装着された側溝フィルター１の第一スリット１０、及び第二スリット１５を通過する。このとき、流水４０中に含まれるゴミ５０は第一濾過面２ａ、又は第二濾過面３ａによって濾過され、収容部１９に収容される。なお、上述のように、基部２における第一スリット１０の巾寸法Ａ、及びゴミ受部３における第二スリット１５の巾寸法Ｂが５．０ｍｍに設定されていることより、ゴミ５０として煙草のフィルター５１も的確に濾過することができる。
【００４３】
ところで、流水４０中のゴミ５０によってゴミ受部３の第二スリット１５が閉塞された場合には、この閉塞によってせき止められた流水４０が第二濾過面３ａを後方に押圧する。そして、図３に示すように、この押圧によってゴミ受部３は一対のバネ２０の弾性に抗して起立状態から傾倒状態に傾動する。これにより、せき止められていた流水４０は開放され、流水が再開される。よって、側溝３０の溢水を未然に防止することができる。なお、第一スリット１０を閉塞するゴミ５０が流水４０によって流されると、一対のバネ２０の弾性によってゴミ受部３は起立状態に傾動し、ゴミ５０の濾過を再開する。
【００４４】
そして、側溝フィルター１に収容されたゴミ５０が確認された場合には、把持部５を把持して側溝フィルター１を側溝外に引き上げる。すると、濾過されたゴミ５０も側溝外に取り出される。これにより、流水４０中のゴミ５０は除去される。なお、側溝フィルター１を引き上げる際には、収容部１９に収容されたゴミ５０がこぼれ落ちないような姿勢でゴミ５０を側溝外に取り出すために、フック等を基部２の端部、具体的には第一スペーサ１０、に引掛けて、把持部５と基部２の端部とを支持して引き上げることが好適である。
【００４５】
そして、側溝フィルター１からゴミ５０を回収する場合、側溝フィルター１から直接ゴミ袋等の回収容器に容易にゴミ５０を移動させることができる。さらに、第一スリット１０、及び第二スリット１５に付着したゴミ５０を取り除く場合、ブラシ等を用いて容易に掻き出すことができる。
【００４６】
以上、本発明に係る一例を説明したが、本発明はこれに限らず、本発明の要旨を逸脱しない範囲で、種々の変更が可能である。
【００４７】
すなわち、本実施形態の側溝フィルター１において、基部２、及びゴミ受部３が、複数の板状部材と、複数のスペーサと、これらを連結する連結部材とから構成されるものを例示したがこれに限定されるものではない。例えば、平板状の部材に複数のスリットを貫設したものであっても構わない。また、本実施形態の側溝フィルター１において、第一スリット１０を有する基部２を例示したが、これに限定されるものではなく、基部２は、スリットを有しないものであっても構わない。さらに、本実施形態の側溝フィルター１において、前後方向にそった第二スリット１５を有するゴミ受部３を例示したが、これに限定されるものではない。例えば、第二スリット１５は、左右方向に沿ったものであっても構わない。
【００４８】
また、本実施形態の側溝フィルター１において、基部２と、ゴミ受部３と、一対の側壁部４とが別部材によって形成されているものを提示したがこれに限定されるものではない。例えば、全ての構成が一体的に形成されているものであっても構わない。
【００４９】
また、本実施形態の側溝フィルター１において、ゴミ受部３の起立状態が基部２に対して傾斜して組み付けられているものを例示したがこれに限定されるものではない。例えば、基部２に対して垂直に立設するものであっても構わない。さらに、ゴミ受部３が基部２に対して傾動可能であるものを例示したが、これに限定されるものではない。例えば、ゴミ受部３が起立状態で固定されているものであっても構わない。この場合、バネ２０は必要としない。
【００５０】
また、本実施形態において第一スリット１０の巾寸法Ａ、及び第二スリット１５の巾寸法Ｂが５．０ｍｍであるものを例示したが、これに限定されるものではなく、煙草のフィルターを濾過するためには、第一スリット１０の巾寸法Ａ、及び第二スリット１５の巾寸法Ｂを、２．０ｍｍ以上、７．０ｍｍ以下に設定されているものであれば構わない。その他にも、例えば、スリットの目詰まりを回避することを重んじる場合には、第一スリット１０の巾寸法Ａ、及び第二スリット１５の巾寸法Ｂを、より大寸にすることが好ましく、より細かいゴミも濾過することができることを重んじる場合には、第一スリット１０の巾寸法Ａ、及び第二スリット１５の巾寸法Ｂを、より小寸にすることが好ましい。
【図面の簡単な説明】
【００５１】
【図１】本実施形態におけるゴミ受部が起立状態である側溝フィルターを示す斜視図である。
【図２】基部、ゴミ受部、及び側壁部の連結状態を示す拡大平面図である。
【図３】ゴミ受部が傾倒状態である側溝フィルターを示す斜視図である。
【図４】側溝フィルターの装着手順を示す分解斜視図である。
【図５】側溝フィルターの使用例を示す斜視図である。
【符号の説明】
【００５２】
１  側溝フィルター
２  基部
２ａ  第一濾過面（基部側濾過面）
３  ゴミ受部
３ａ  第二濾過面（濾過面）
４  側壁部
１０  第一スリット（基部側スリット）
１５  第二スリット（スリット）
１９  収容部
２０  バネ（弾性体）
３０  側溝
４０  流水
５０  ゴミ
【図１】
2006112167.tif 000003
【図２】
2006112167.tif 000004
【図３】
2006112167.tif 000005
【図４】
2006112167.tif 000006
【図５】
2006112167.tif 000007